(57)【要約】【課題】トータルコストを抑制できる照明システムを提供する。【解決手段】照明システム１は、複数の照明器具と、照明器具の調光制御に用いられ、照明器具の明るさを検出する明るさセンサ１５を備えたコントローラ１０と、を備え、コントローラ１０は、複数の照明器具を複数のグループに分割する分割部１２と、複数のグループのそれぞれごとに、第１モード又は第２モードにより調光制御を行う制御部１３と、を備え、第１モードは、明るさセンサ１５の検出結果に応じて調光制御を行うモードであり、第２モードは、外部からの調光率の指示に応じて調光制御を行うモードである。【選択図】図１
2019046634.tif 000002
【特許請求の範囲】
【請求項１】
複数の照明器具と、
照明器具の調光制御に用いられ、照明器具の明るさを検出する明るさセンサを備えたコントローラと、を備え、
前記コントローラは、
前記複数の照明器具を複数のグループに分割する分割部と、
前記複数のグループのそれぞれごとに、第１モード又は第２モードにより調光制御を行う制御部と、を備え、
前記第１モードは、前記明るさセンサの検出結果に応じて調光制御を行うモードであり、
前記第２モードは、外部からの調光率の指示に応じて調光制御を行うモードである、
照明システム。
【請求項２】
前記制御部は、前記複数のグループのそれぞれごとに、前記第１モードと前記第２モードとの動作モードの切り替えを行う、
請求項１に記載の照明システム。
【請求項３】
前記制御部は、外部に設けられたスイッチによる前記第１モードと前記第２モードとの切り替えに応じて、前記動作モードの切り替えを行う、
請求項２に記載の照明システム。
【請求項４】
前記制御部は、前記コントローラの筺体に設けられたスイッチによる前記第１モードと前記第２モードとの切り替えに応じて、前記動作モードの切り替えを行う、
請求項２に記載の照明システム。
【請求項５】
前記分割部は、前記複数の照明器具を複数のグループに分割するための外部からの指示に応じて、前記複数の照明器具を複数のグループに分割し、
当該外部からの指示には、前記複数のグループのそれぞれごとに、前記第１モード及び前記第２モードのいずれの動作モードにより調光制御を行うかを示す情報が含まれ、
前記制御部は、当該情報に応じて、前記動作モードの切り替えを行う、
請求項２〜４のいずれか１項に記載の照明システム。
【請求項６】
前記コントローラは、さらに、前記複数の照明器具と無線通信を行う通信部を備える、
請求項１〜５のいずれか１項に記載の照明システム。
【請求項７】
複数の照明器具と、照明器具の調光制御に用いられ、照明器具の明るさを検出する明るさセンサを備えたコントローラと、を備える照明システムにおけるコントローラであって、
前記複数の照明器具を複数のグループに分割する分割部と、
前記複数のグループのそれぞれごとに、第１モード又は第２モードにより調光制御を行う制御部と、を備え、
前記第１モードは、前記明るさセンサの検出結果に応じて調光制御を行うモードであり、
前記第２モードは、外部からの調光率の指示に応じて調光制御を行うモードである、
コントローラ。
【発明の詳細な説明】
【技術分野】
【０００１】
本発明は、照明器具を制御するための照明システム及びコントローラに関する。
【背景技術】
【０００２】
従来、照明器具と、照明器具の調光制御に用いられ、照明器具の明るさを検出する明るさセンサを備えたコントローラと、を備える照明システムが開示されている（例えば、特許文献１）。当該照明システムにおいて、例えば、明るさセンサの検出結果に応じて照明器具の調光制御が行われることで、外光等によって変化し得る領域の明るさを予め定められた一定の明るさに保つことができる。
【先行技術文献】
【特許文献】
【０００３】
【特許文献１】特開２０１６−１４９２１５号公報
【発明の概要】
【発明が解決しようとする課題】
【０００４】
しかしながら、外光等によって明るさが変化し得る領域（例えば窓際の領域等）に設置され明るさセンサの検出結果に応じた調光制御（一定照度制御とも呼ぶ）が行われる照明器具と、外光等によって明るさが変化しにくい領域（例えば窓から離れた領域または窓のない部屋等）に設置され一定照度制御が行われる必要がなく例えば外部からの調光率の指示に応じた調光制御（外部制御とも呼ぶ）が行われる照明器具とが存在する。従来の照明システムでは、一定照度制御が行われる照明器具用のコントローラと、外部制御が行われる照明器具用のコントローラとをそれぞれ準備する必要があり、照明システムに掛かるトータルコストが高くなってしまっていた。
【０００５】
そこで、本発明は、トータルコストを抑制できる照明システム及びコントローラを提供することを目的とする。
【課題を解決するための手段】
【０００６】
本発明の一態様に係る照明システムは、複数の照明器具と、照明器具の調光制御に用いられ、照明器具の明るさを検出する明るさセンサを備えたコントローラと、を備え、前記コントローラは、前記複数の照明器具を複数のグループに分割する分割部と、前記複数のグループのそれぞれごとに、第１モード又は第２モードにより調光制御を行う制御部と、を備え、前記第１モードは、前記明るさセンサの検出結果に応じて調光制御を行うモードであり、前記第２モードは、外部からの調光率の指示に応じて調光制御を行うモードである。
【０００７】
本発明の一態様に係るコントローラは、複数の照明器具と、照明器具の調光制御に用いられ、照明器具の明るさを検出する明るさセンサを備えたコントローラと、を備える照明システムにおけるコントローラであって、前記複数の照明器具を複数のグループに分割する分割部と、前記複数のグループのそれぞれごとに、第１モード又は第２モードにより調光制御を行う制御部と、を備え、前記第１モードは、前記明るさセンサの検出結果に応じて調光制御を行うモードであり、前記第２モードは、外部からの調光率の指示に応じて調光制御を行うモードである。
【発明の効果】
【０００８】
本発明の一態様に係る照明システム及びコントローラによれば、トータルコストを抑制できる。
【図面の簡単な説明】
【０００９】
【図１】図１は、実施の形態に係る照明システムの一例を示す構成図である。
【図２】図２は、実施の形態に係るコントローラの一例を示す構成図である。
【図３】図３は、実施の形態に係る照明システムの他の一例を示す構成図である。
【図４】図４は、コントローラに設けられたスイッチの一例を示す外観図である。
【図５】図５は、実施の形態に係る照明システムの他の一例を示す構成図である。
【図６】図６は、複数の照明器具を複数のグループに分割するための外部からの指示の一例を示す図である。
【発明を実施するための形態】
【００１０】
以下では、本発明の実施の形態について、図面を用いて詳細に説明する。なお、以下に説明する実施の形態は、いずれも本発明の好ましい一具体例を示すものである。したがって、以下の実施の形態で示される数値、構成要素、構成要素の配置および接続形態等は、一例であり、本発明を限定する趣旨ではない。よって、以下の実施の形態における構成要素のうち、本発明の最上位概念を示す独立請求項に記載されていない構成要素については、任意の構成要素として説明される。
【００１１】
また、各図は、模式図であり、必ずしも厳密に図示されたものではない。また、各図において、同じ構成要素については同じ符号を付している。
【００１２】
（実施の形態）
以下、実施の形態について、図１から図６を用いて説明する。
【００１３】
［照明システムの構成］
図１は、実施の形態に係る照明システム１の一例を示す構成図である。
【００１４】
照明システム１は、照明器具を調光制御等するためのシステムであり、複数の照明器具（ここでは、照明器具２０ａ〜２０ｐ）と、照明器具の調光制御に用いられ、照明器具の明るさを検出する明るさセンサ１５を備えたコントローラ１０と、を備える。また、照明システム１は、さらに、コントローラ１０の動作モード（詳細は後述する）の切り替えを行うための、コントローラ１０の外部に設けられたスイッチ４０ａ、複数の照明器具の制御に関する設定を行う設定器５０、複数の照明器具の制御を行う親機６０、複数の照明器具への電力供給のオン及びオフを切り替えるリレー７０、及び、コントローラ１０の外部から調光率の指示を行うスイッチ８０を備える。
【００１５】
まず、コントローラ１０について、図２を用いて説明する。図２は、実施の形態に係るコントローラ１０の一例を示す構成図である。
【００１６】
コントローラ１０は、プロセッサ（マイクロプロセッサ）、通信回路、電源回路等を含むコンピュータであり、通信部１１、分割部１２、制御部１３及び記憶部１４を備える。記憶部１４は、ＲＯＭ、ＲＡＭ等であり、例えば不揮発性メモリを含んでいてもよい。通信部１１は、通信回路により実現され、通信回路は、例えば、親機６０との間で制御信号を送受信する送受信回路、複数の照明器具との間及び設定器５０との間で無線信号を送受信する無線回路（例えばアンテナを含む）等を含んでいる。プロセッサは、記憶部１４に格納されたプログラムを実行することにより、通信部１１、分割部１２、制御部１３等を制御する処理を行う。
【００１７】
コントローラ１０は、照明器具が設置された場所の周辺に設置され、コントローラ１０が備える明るさセンサ１５は、照明器具に照射される床面等の照度を検出することで、照明器具の明るさを検出する。本実施の形態では、コントローラ１０は、照明器具２０ａ〜２０ｄが設置された場所の周辺に設置され、明るさセンサ１５は、照明器具２０ａ〜２０ｄに照射される床面等の照度を検出することで、照明器具２０ａ〜２０ｄの明るさを検出する。例えば、明るさセンサ１５によって検出された明るさが予め定められた設定値となるように、照明器具２０ａ〜２０ｄは調光制御（一定照度制御）される。具体的には、検出された明るさが予め定められた明るさの設定値よりも明るい場合には照明器具２０ａ〜２０ｄの調光率が下げられ、暗い場合には、照明器具２０ａ〜２０ｄの調光率が上げられる。予め定められた明るさの設定値は、例えば、記憶部１４に記憶されており、コントローラ１０は、明るさセンサ１５が検出した明るさ及び予め定められた明るさの設定値に応じて照明器具２０ａ〜２０ｄの調光制御を行う。
【００１８】
通信部１１は、複数の照明器具と無線通信を行い、コントローラ１０は調光制御に関する制御信号を複数の照明器具に送信することで、複数の照明器具の調光制御が行われる。コントローラ１０と複数の照明器具との通信には、例えば、９２０ＭＨｚ帯の特定小電力無線が用いられる。当該特定小電力無線の通信可能な距離は約３５ｍとなっており、明るさセンサ１５による明るさを検出可能な距離をカバーしている。言い換えると、明るさセンサ１５が明るさを検出する照明器具２０ａ〜２０ｄは、当該通信可能な距離内に設置されている。
【００１９】
なお、コントローラ１０は、当該通信可能な距離内であれば、明るさセンサ１５による明るさを検出可能な距離外に設置された照明器具とも通信が可能であり、当該照明器具に対して、コントローラ１０の外部からの調光率の指示に応じた調光制御（外部制御）を行う。例えば、コントローラ１０は、照明器具２０ｅ〜２０ｐに対して外部制御を行う。
【００２０】
分割部１２は、複数の照明器具を複数のグループに分割する。具体的には、分割部１２は、複数の照明器具を複数のグループに分割するための、コントローラ１０の外部からの指示に応じて、複数の照明器具を複数のグループに分割する。当該外部からの指示は、例えば、設定器５０からの指示である。当該指示には、複数の照明器具にアドレスを対応付けるための情報が含まれており、例えば、照明器具２０ａ〜２０ｄに同じアドレス（例えば１ｃｈ−１）、照明器具２０ｅ〜２０ｈに同じアドレス（例えば１ｃｈ−２）、照明器具２０ｉ〜２０ｌに同じアドレス（例えば１ｃｈ−３）、照明器具２０ｍ〜２０ｐに同じアドレス（例えば１ｃｈ−４）が対応付けられる。これにより、分割部１２は、複数の照明器具を、それぞれ同じアドレスが対応付けられたグループとして、照明器具２０ａ〜２０ｄからなるグループ３０ａ、照明器具２０ｅ〜２０ｈからなるグループ３０ｂ、照明器具２０ｉ〜２０ｌからなるグループ３０ｃ、及び、照明器具２０ｍ〜２０ｐからなるグループ３０ｄに分割する。
【００２１】
制御部１３は、分割部１２が分割した複数のグループのそれぞれごとに、第１モード又は第２モードにより調光制御を行う。第１モードは、明るさセンサ１５の検出結果に応じて調光制御を行うモード（つまり、一定照度制御を行うモード）であり、第２モードは、コントローラ１０の外部からの調光率の指示に応じて調光制御を行うモード（つまり、外部制御を行うモード）である。詳細は後述するが、制御部１３は、グループ３０ａの照明器具２０ａ〜２０ｄに対して第１モードにより調光制御を行い、グループ３０ｂ〜３０ｄの照明器具２０ｅ〜２０ｐに対して第２モードにより調光制御を行う。
【００２２】
制御部１３は、さらに、複数のグループのそれぞれごとに、第１モードと第２モードとの動作モードの切り替えを行う。制御部１３は、グループ３０ａの照明器具２０ａ〜２０ｄについて、例えば外光により明るさが変化し得る日中には第１モードにより調光制御を行い、例えば夜間には第２モードにより調光制御を行うことで、第１モードと第２モードとの動作モードの切り替えを行う。
【００２３】
複数の照明器具は、光源を含み、点灯及び消灯の切り替え、並びに、調光率（明るさ）の変更が可能な装置である。上述したように、本実施の形態では、複数の照明器具は、コントローラ１０の無線通信可能な範囲内に設置された照明器具２０ａ〜２０ｐからなり、照明器具２０ａ〜２０ｄは明るさセンサ１５による明るさを検出可能な範囲内に設置され、照明器具２０ｅ〜２０ｐは当該範囲外に設置されている。また、複数の照明器具は、リレー７０を介して電力が供給される。
【００２４】
スイッチ４０ａは、制御部１３が複数のグループのそれぞれごとに、第１モードと第２モードとの動作モードの切り替えを行うために、例えば、コントローラ１０の外部に設けられたスイッチであり、照明システム１が適用される建物の壁に設けられる壁スイッチである。例えば、スイッチ４０ａは、図１に示されるように４つのボタン４１ａ〜４１ｄを有している。各ボタンは例えばオン状態及びオフ状態の２つの状態を有しており、コントローラ１０に対して、オン状態の場合には第２モードで複数の照明器具を調光制御させ、オフ状態の場合には第１モードで複数の照明器具を調光制御させる機能を有する。
【００２５】
例えば、ボタン４１ａは、アドレス１ｃｈ−１が対応付けられており、コントローラ１０に対して、オン状態の場合には第２モードでアドレス１ｃｈ−１が対応付けられた照明器具２０ａ〜２０ｄを調光制御させ、オフ状態の場合には第１モードで照明器具２０ａ〜２０ｄを調光制御させる。同様に、ボタン４１ｂは、アドレス１ｃｈ−２が対応付けられており、コントローラ１０に対して、第１モードと第２モードとを切り替えてアドレス１ｃｈ−２が対応付けられた照明器具２０ｅ〜２０ｈを調光制御させる。ボタン４１ｃは、アドレス１ｃｈ−３が対応付けられており、コントローラ１０に対して、第１モードと第２モードとを切り替えてアドレス１ｃｈ−３が対応付けられた照明器具２０ｉ〜２０ｌを調光制御させる。ボタン４１ｄは、アドレス１ｃｈ−４が対応付けられており、コントローラ１０に対して、第１モードと第２モードとを切り替えてアドレス１ｃｈ−４が対応付けられた照明器具２０ｍ〜２０ｐを調光制御させる。例えば日中には、ボタン４１ａがオフ状態にされ、ボタン４１ｂ〜４１ｄがオン状態にされることで、制御部１３は、グループ３０ａの照明器具２０ａ〜２０ｄに対して第１モードにより調光制御を行い、グループ３０ｂ〜３０ｄの照明器具２０ｅ〜２０ｐに対して第２モードにより調光制御を行う。例えば夜間には、ボタン４１ａもオン状態にされることで、制御部１３は、グループ３０ａの照明器具２０ａ〜２０ｄに対しても第２モードにより調光制御を行う。
【００２６】
スイッチ８０は、制御部１３が第２モードにより調光制御を行う際に、調光率の指示を行うために、コントローラ１０の外部に設けられたスイッチであり、例えば、照明システム１が適用される建物の壁に設けられる壁スイッチである。スイッチ８０は、コントローラ１０の外部からの調光率の指示を行う。例えば、スイッチ８０は、図１に示されるように４つのボタン８１ａ〜８１ｄを有している。各ボタンは所望の調光率が対応付けられている。各ボタンは例えばオン状態及びオフ状態の２つの状態を有しており、コントローラ１０に対して、オン状態の場合には複数の照明器具を当該所望の調光率に調光制御させる機能を有する。
【００２７】
例えば、ボタン８１ａは、アドレス１ｃｈ−１が対応付けられており、ボタン８１ｂは、アドレス１ｃｈ−２が対応付けられており、ボタン８１ｃは、アドレス１ｃｈ−３が対応付けられており、ボタン８１ｄは、アドレス１ｃｈ−４が対応付けられている。例えば、アドレス１ｃｈ−１が対応付けられた照明器具２０ａ〜２０ｄが第２モードにより調光制御される場合に、ボタン８１ａがオン状態のときには、ボタン８１ａに対応付けられた調光率で照明器具２０ａ〜２０ｄが調光制御される。アドレス１ｃｈ−２が対応付けられた照明器具２０ｅ〜２０ｈが第２モードにより調光制御される場合に、ボタン８１ｂがオン状態のときには、ボタン８１ｂに対応付けられた調光率で照明器具２０ｅ〜２０ｈが調光制御される。アドレス１ｃｈ−３が対応付けられた照明器具２０ｉ〜２０ｌが第２モードにより調光制御される場合に、ボタン８１ｃがオン状態のときには、ボタン８１ｃに対応付けられた調光率で照明器具２０ｉ〜２０ｌが調光制御される。アドレス１ｃｈ−４が対応付けられた照明器具２０ｍ〜２０ｐが第２モードにより調光制御される場合に、ボタン８１ｄがオン状態のときには、ボタン８１ｄに対応付けられた調光率で照明器具２０ｍ〜２０ｐが調光制御される。
【００２８】
設定器５０は、複数の照明器具の制御に関する設定情報を生成し、コントローラ１０、スイッチ４０ａ、スイッチ８０等に送信する。コントローラ１０へ送信される設定情報は、例えば、複数の照明器具を複数のグループに分割するための指示を含み、複数の照明器具にアドレスを対応付けるための情報が含まれている。スイッチ４０ａに送信される設定情報は、例えば、スイッチ４０ａが有する各ボタンに、複数の照明器具に対応付けられたアドレスを対応付けるための情報、並びに、オン状態のときに第１モード及び第２モードの一方（ここでは第２モード）を対応付けオフ状態のときに他方（ここでは第１モード）を対応付けるための情報が含まれている。スイッチ８０に送信される設定情報は、例えば、スイッチ８０が有する各ボタンに、複数の照明器具に対応付けられたアドレスを対応付けるための情報、第２モードで調光制御される照明器具の所望の調光率を対応付けるための情報が含まれている。
【００２９】
これにより、コントローラ１０（分割部１２）は、複数の照明器具を複数のグループに分割でき、スイッチ４０ａは、制御部１３に第１モードと第２モードとの動作モードの切り替えを行わせることができ、スイッチ８０は、第２モードで調光制御される照明器具を所望の調光率にすることができる。
【００３０】
親機６０は、照明システム１において中心となって動作する親機コントローラである。
【００３１】
例えば、スイッチ４０ａは、ボタン４１ａ〜４１ｄのオン状態及びオフ状態に関する情報をいったん親機６０に送信する。例えば、ボタン４１ａがオフ状態の場合、アドレス１ｃｈ−１の照明器具を第１モードで調光制御することを示す情報がいったん親機６０へ送信される。そして、親機６０は、当該情報に基づいて、コントローラ１０にアドレス１ｃｈ−１の照明器具を第１モードで調光制御するように指示する。
【００３２】
例えば、スイッチ８０は、ボタン８１ａ〜８１ｄのオン状態及びオフ状態に関する情報をいったん親機６０に送信する。例えば、ボタン８１ｂがオン状態の場合、アドレス１ｃｈ−２の照明器具を所望の調光率で調光制御することを示す情報がいったん親機６０へ送信される。そして、親機６０は、ボタン４１ｂがオン状態の場合、つまり、アドレス１ｃｈ−２の照明器具が第２モードで調光制御される場合には、当該情報に基づいて、コントローラ１０にアドレス１ｃｈ−２の照明器具を所望の調光率で調光制御するように指示する。
【００３３】
このように、親機６０が照明システム１の中心となって、複数の照明器具の制御を行う。ただし、第１モードで調光制御される照明器具については、親機６０を介さずに調光制御される。上述したように、予め定められた明るさの設定値は、例えば、コントローラ１０の記憶部１４に記憶されており、コントローラ１０は、明るさセンサ１５が検出した明るさ及び予め定められた明るさの設定値に応じて第１モードで調光制御される照明器具（照明器具２０ａ〜２０ｄ）の調光制御を行う。
【００３４】
なお、予め定められた明るさの設定値は、親機６０に記憶されていてもよく、コントローラ１０は、明るさセンサ１５が検出した照明器具２０ａ〜２０ｄの明るさに関する情報を親機６０に送信し、親機６０は受信した当該情報及び親機６０が記憶している予め定められた明るさの設定値に応じて照明器具２０ａ〜２０ｄの調光制御を行ってもよい。この場合、親機６０は、調光制御に関する制御信号をコントローラ１０に送信し、コントローラ１０は受信した当該制御信号をさらに照明器具２０ａ〜２０ｄに送信することで、照明器具２０ａ〜２０ｄの調光制御が行われる。
【００３５】
リレー７０は、複数の照明器具への電力供給のオン及びオフを切り替えるスイッチである。リレー７０は、例えば、親機６０からの指示に応じて、複数の照明器具への電力供給のオン及びオフを切り替える。
【００３６】
以上、照明システム１の構成について説明したが、照明システム１の構成は図１に示されるものに限らない。
【００３７】
図３及び図５は、実施の形態に係る照明システム１の他の一例を示す構成図である。
【００３８】
図３に示されるように、照明システム１は、スイッチ４０ａを備えていなくてもよく、代わりに、コントローラ１０がスイッチ４０ｂを備えていてもよい。
【００３９】
スイッチ４０ｂは、制御部１３が複数のグループのそれぞれごとに、第１モードと第２モードとの動作モードの切り替えを行うために、例えばコントローラ１０の筺体に設けられたスイッチである。
【００４０】
図４は、コントローラ１０に設けられたスイッチ４０ｂの一例を示す外観図である。
【００４１】
例えば、スイッチ４０ｂは、図４に示されるように４つのスイッチ４２ａ〜４２ｄを有している。例えば、スイッチ４２ａ〜４２ｄは、スイッチ４０ａにおけるボタン４１ａ〜４１ｄに対応しており、スイッチ４２ａ〜４２ｄが図４に示される有効の位置にある状態と、ボタン４１ａ〜４１ｄのオフ状態とが同じ状態であるとする。つまり、例えば、スイッチ４２ａが図４に示されるように有効の位置にある状態の場合、制御部１３は、グループ３０ａの照明器具２０ａ〜２０ｄに対して第１モードにより調光制御を行う。また、例えば、スイッチ４２ｂ〜４２ｄが図４に示されるように無効の位置にある状態の場合、制御部１３は、グループ３０ｂ〜３０ｄの照明器具２０ｅ〜２０ｐに対して第２モードにより調光制御を行う。
【００４２】
このように、スイッチ４０ａと同じ機能を有するスイッチ４０ｂがコントローラ１０の外部ではなく、コントローラ１０の筺体に設けられてもよい。
【００４３】
また、図５に示されるように、照明システム１は、スイッチ４０ａもスイッチ４０ｂも備えていなくてもよい。この場合、分割部１２が複数の照明器具を複数のグループに分割するための外部（設定器５０）からの指示には、複数のグループのそれぞれごとに、第１モード及び第２モードのいずれの動作モードにより調光制御を行うかを示す情報が含まれる。
【００４４】
図６は、複数の照明器具を複数のグループに分割するための外部からの指示の一例を示す図である。
【００４５】
図６に示されるように、当該指示には、複数の照明器具を複数のグループに分割するために、各照明器具とグループとの対応付けが含まれている。図６には、グループ名が示されているが、実際には当該指示には、例えば、各照明器具と、各照明器具に対応付けられるアドレス（上述した１ｃｈ−１等）との対応付けが含まれており、同じアドレスが対応付けられる照明器具が同じグループに分割される。例えば、図６では、照明器具２０ａ〜２０ｄに同じアドレスを対応付けることで、照明器具２０ａ〜２０ｄは同じグループ３０ａとなる。また、図６に示されるように、当該指示には、各照明器具が第１モードで調光制御されるか、第２モードで調光制御されるかを示す情報が含まれており、例えば、照明器具２０ａ〜２０ｄが第１モードで調光制御されることを示す情報が含まれる。
【００４６】
このように、スイッチ４０ａ又はスイッチ８０等のスイッチによって動作モードが切り替えられなくてもよく、例えば、外部（設定器５０）からの指示に含まれる、複数のグループのそれぞれごとに、第１モード及び第２モードのいずれの動作モードにより調光制御を行うかを示す情報に応じて動作モードが切り替えられてもよい。
【００４７】
［効果等］
以上説明したように、本実施の形態に係る照明システム１は、複数の照明器具と、照明器具の調光制御に用いられ、照明器具の明るさを検出する明るさセンサ１５を備えたコントローラ１０と、を備える。コントローラ１０は、複数の照明器具を複数のグループに分割する分割部１２と、複数のグループのそれぞれごとに、第１モード又は第２モードにより調光制御を行う制御部１３と、を備える。第１モードは、明るさセンサ１５の検出結果に応じて調光制御を行うモードであり、第２モードは、外部からの調光率の指示に応じて調光制御を行うモードである。
【００４８】
複数の照明器具には、外光等によって明るさが変化し得る領域（例えば窓際の領域等）に設置され明るさセンサ１５の検出結果に応じた調光制御（一定照度制御）が行われる照明器具２０ａ〜２０ｄと、外光等によって明るさが変化しにくい領域（例えば窓から離れた領域または窓のない部屋等）に設置され一定照度制御が行われる必要がなく例えば外部からの調光率の指示に応じた調光制御（外部制御）が行われる照明器具２０ｅ〜２０ｐとが含まれる。コントローラ１０は、明るさセンサ１５の検出結果に応じて調光制御を行う第１モードと、外部からの調光率の指示に応じて調光制御を行う第２モードとで動作が可能なため、一定照度制御が行われる照明器具用のコントローラと、外部制御が行われる照明器具用のコントローラとをそれぞれ準備する必要がない。したがって、照明システム１に掛かるトータルコストを抑制できる。言い換えると、照明システム１の機能を維持したまま、照明システム１を構成する機器の台数を減らすことができるため、消費電力を削減でき、また、資源の浪費を抑制できる。
【００４９】
また、制御部１３は、複数のグループのそれぞれごとに、第１モードと第２モードとの動作モードの切り替えを行ってもよい。
【００５０】
これにより、各グループの動作モードが固定ではなく、状況等に応じて動作モードを第１モードと第２モードとで切り替えることができる。例えば、外光により明るさが変化し得る日中には第１モードにより調光制御を行い、夜間には第２モードにより調光制御を行うことができる。このように、明るさセンサ１５の検出結果に応じて調光制御を効果的に実施でき、消費電力を削減できる。
【００５１】
例えば、制御部１３は、外部に設けられたスイッチ４０ａによる第１モードと第２モードとの切り替えに応じて、動作モードの切り替えを行ってもよい。
【００５２】
これにより、外部に設けられた例えば壁スイッチ等のスイッチ４０ａにより、ユーザは容易に第１モードと第２モードとの切り替えができる。
【００５３】
また、例えば、制御部１３は、コントローラ１０の筺体に設けられたスイッチ４０ｂによる第１モードと第２モードとの切り替えに応じて、動作モードの切り替えを行ってもよい。
【００５４】
例えば、コントローラ１０は、明るさセンサ１５を備えており一般的には天井に設置されることが多いため、ユーザは、コントローラ１０の筺体に設けられたスイッチ４０ｂを操作しにくい。しかし、各グループの動作モードが予め決められており、動作モードの切り替えが不要な場合には、コントローラ１０の設置時等に一度スイッチ４０ｂを操作するだけでよいため、スイッチ４０ｂを操作しにくいことは問題となりにくい。また、この場合、壁スイッチ等のスイッチ４０ａを取り付ける工事等が必要なくなり、照明システム１に掛かるトータルコストを抑制できる。
【００５５】
また、分割部１２は、複数の照明器具を複数のグループに分割するための外部からの指示に応じて、複数の照明器具を複数のグループに分割し、当該外部からの指示には、複数のグループのそれぞれごとに、第１モード及び第２モードのいずれの動作モードにより調光制御を行うかを示す情報が含まれ、制御部１３は、当該情報に応じて、動作モードの切り替えを行ってもよい。
【００５６】
これにより、スイッチ４０ａ等の壁スイッチや、スイッチ４０ｂ等のコントローラ１０の筺体に設けられるスイッチを準備することなく、設定器５０等からの情報の送信により、容易に動作モードの切り替えができる。例えば、複数の照明器具等のレイアウトが変更になる場合には、これらのスイッチの設定のやり直しが不要であり、容易に動作モードの切り替えができる。
【００５７】
また、コントローラ１０は、さらに、複数の照明器具と無線通信を行う通信部１１を備えていてもよい。
【００５８】
これにより、コントローラ１０と複数の照明器具とが有線で接続されていないため、複数の照明器具を複数のグループに分割する際の自由度が高まる。
【００５９】
また、本実施の形態に係るコントローラ１０は、複数の照明器具と、照明器具の調光制御に用いられ、照明器具の明るさを検出する明るさセンサ１５を備えたコントローラ１０と、を備える照明システム１におけるコントローラである。コントローラ１０は、複数の照明器具を複数のグループに分割する分割部１２と、複数のグループのそれぞれごとに、第１モード又は第２モードにより調光制御を行う制御部１３と、を備える。第１モードは、明るさセンサの検出結果に応じて調光制御を行うモードであり、第２モードは、外部からの調光率の指示に応じて調光制御を行うモードである。
【００６０】
これにより、照明システム１に掛かるトータルコストを抑制できるコントローラ１０を提供できる。
【００６１】
（その他の実施の形態）
以上、実施の形態に係る照明システム１及びコントローラ１０について説明したが、本発明は、上記実施の形態に限定されるものではない。
【００６２】
例えば、上記実施の形態では、照明システム１は、スイッチ４０ａ、設定器５０、親機６０、リレー７０及びスイッチ８０を備えていたが、備えていなくてもよい。例えば、照明システム１がスイッチ４０ａを備えていない場合には、制御部１３は、照明システム１の外部に設けられたスイッチによる第１モードと第２モードとの切り替えに応じて、動作モードの切り替えを行ってもよい。また、例えば、照明システム１が設定器５０を備えていない場合には、分割部１２は、複数の照明器具を複数のグループに分割するための、照明システム１の外部からの指示に応じて、複数の照明器具を複数のグループに分割してもよい。また、例えば、照明システム１がスイッチ８０を備えていない場合には、第２モードは、照明システム１の外部からの調光率の指示に応じて調光制御を行うモードであってもよい。
【００６３】
また、例えば、上記実施の形態では、制御部１３は、複数のグループのそれぞれごとに、第１モードと第２モードとの動作モードの切り替えを行ったが、動作モードの切り替えを行わなくてもよい。つまり、複数のグループのそれぞれごとに、動作モードが固定であってもよい。
【００６４】
また、例えば、上記実施の形態では、コントローラ１０と複数の照明器具とは無線通信を行ったが、有線通信を行ってもよい。
【００６５】
また、本発明は、照明システム１及びコントローラ１０として実現できるだけでなく、照明システム１及びコントローラ１０を構成する各構成要素が行うステップ（処理）を含む方法として実現できる。
【００６６】
例えば、それらのステップは、コンピュータ（コンピュータシステム）によって実行されてもよい。そして、本発明は、それらの方法に含まれるステップを、コンピュータに実行させるためのプログラムとして実現できる。さらに、本発明は、そのプログラムを記録したＣＤ−ＲＯＭ等である非一時的なコンピュータ読み取り可能な記録媒体として実現できる。
【００６７】
例えば、本発明が、プログラム（ソフトウェア）で実現される場合には、コンピュータのＣＰＵ、メモリおよび入出力回路等のハードウェア資源を利用してプログラムが実行されることによって、各ステップが実行される。つまり、ＣＰＵがデータをメモリまたは入出力回路等から取得して演算したり、演算結果をメモリまたは入出力回路等に出力したりすることによって、各ステップが実行される。
【００６８】
また、上記実施の形態の照明システム１及びコントローラ１０に含まれる各構成要素は、専用または汎用の回路として実現されてもよい。
【００６９】
また、上記実施の形態の照明システム１及びコントローラ１０に含まれる各構成要素は、集積回路（ＩＣ：Ｉｎｔｅｇｒａｔｅｄ  Ｃｉｒｃｕｉｔ）であるＬＳＩ（Ｌａｒｇｅ  Ｓｃａｌｅ  Ｉｎｔｅｇｒａｔｉｏｎ）として実現されてもよい。
【００７０】
また、集積回路はＬＳＩに限られず、専用回路または汎用プロセッサで実現されてもよい。プログラム可能なＦＰＧＡ（Ｆｉｅｌｄ  Ｐｒｏｇｒａｍｍａｂｌｅ  Ｇａｔｅ  Ａｒｒａｙ）、または、ＬＳＩ内部の回路セルの接続および設定が再構成可能なリコンフィギュラブル・プロセッサが、利用されてもよい。
【００７１】
さらに、半導体技術の進歩または派生する別技術によりＬＳＩに置き換わる集積回路化の技術が登場すれば、当然、その技術を用いて、照明システム１及びコントローラ１０に含まれる各構成要素の集積回路化が行われてもよい。
【００７２】
その他、実施の形態に対して当業者が思いつく各種変形を施して得られる形態や、本発明の趣旨を逸脱しない範囲で各実施の形態における構成要素および機能を任意に組み合わせることで実現される形態も本発明に含まれる。
【符号の説明】
【００７３】
１  照明システム
１０  コントローラ
１１  通信部
１２  分割部
１３  制御部
１５  明るさセンサ
２０ａ〜２０ｐ  照明器具
３０ａ〜３０ｄ  グループ
４０ａ、４０ｂ、４２ａ〜４２ｄ、８０  スイッチ
【図１】
2019046634.tif 000003
【図２】
2019046634.tif 000004
【図３】
2019046634.tif 000005
【図４】
2019046634.tif 000006
【図５】
2019046634.tif 000007
【図６】
2019046634.tif 000008